(57)【要約】【課題】幅寸法を調整できると共に、一体として押し込むことができるガスケットとする。【解決手段】広幅形態と狭幅形態に変位する表面部材１０の裏面１１に第１部材２０と第２部材３０を幅方向に離隔して設けたほぼＵ字状で、前記第１部材２０は取付部２１と支持部２２を備え、前記第２部材３０は係止部３１を備え、この係止部３１を支持部２２に係止することが表面部材１０が狭幅形態となってガスケット１の幅寸法が小さくなり、表面部材１０を押すことで係止部３１が支持部２２から外れて表面部材１０が広幅形態となってガスケット１の幅寸法が大きくなるようにしたガスケット。【選択図】　　　図１
2004036348.tif 000002
【特許請求の範囲】
【請求項１】
所定の幅と厚さを有し、広幅形態と狭幅形態に変位すると共に、枠材のパネル材嵌合溝の開口縁部とパネル材の表面に接して両者の間を気密・水密する表面部材と、
この表面部材の裏面に幅方向に離隔して一体に設けた第１部材と第２部材を備え、
前記第１部材は、前記パネル材嵌合溝の側部に取付けられる形態で、
前記第２部材は第１部材に保持されて表面部材を狭幅形態とし、かつ上下方向の力が作用すると第１部材に対して移動して表面部材が広幅形態となるようにしたことを特徴とするガスケット。
【請求項２】
表面部材は幅方向にほぼ一直線状の広幅形態と、幅方向にほぼく字状の狭幅形態とに変位し、
第１部材は表面部材の幅方向一側寄りで、かつ支持部を備え、第２部材は表面部材の幅方向他側寄りで、かつ係止部を備え、この係止部を支持部に係止することで表面部材が前記狭幅形態となると共に、表面部材の幅方向他側寄りを押すと係止部が支持部から外れて表面部材が広幅形態となるようにした請求項１記載のガスケット。
【請求項３】
第２部材はパネル材の表面に接すると共に、表面部材とともに幅方向に変位して表面部材の幅方向他端部と常にほぼ面一である請求項１又は２記載のガスケット。
【発明の詳細な説明】
【０００１】
【発明の属する技術分野】
本発明は、ガラス、金属、樹脂等からなるパネル材を障子、窓、カーテンウオール等の枠材に嵌め込んで固定するのに用いるガスケットに関する。
【０００２】
【従来の技術】
枠材を方形枠状に連結し、その枠にガラスからなるパネル材を装着した障子が知られている。
この障子において、枠材のパネル材嵌合溝にパネル材をガスケットを用いて嵌め込んで固定するのが一般的である。
例えば、パネル材嵌合溝の一方の側部とパネル材の一方の表面との間及びパネル材嵌合溝の他方の側部とパネル材の他方の表面との間にガスケットをそれぞれ設けて固定すると共に、そのパネル材嵌合溝とパネル材との間を気密、水密している。
【０００３】
前述したパネル材の固定のやり方では、パネル材の厚さが薄いとガスケットによる気密性、水密性が低下し、パネル材の厚さが厚いとガスケットを押し込みづらく施工性が低下する。
このことを解消するガスケットが特開平１１−２５６９４１号公報に提案される。
このガスケットは、傾斜面を有する第１部材と傾斜した圧接面を有する第２部材を備え、第１部材の傾斜面と第２部材の圧接面を圧接する形態で、第１部材と第２部材の圧接位置をずらすことで幅寸法を調整できる。
前述したガスケットであれば、パネル材の厚さに応じてガスケットの幅寸法を調整し、気密性・水密性の向上、ガスケットを押し込み易く施工性を向上できる。
【０００４】
【発明が解決しようとする課題】
前述した従来のガスケットは、枠材のパネル材嵌合溝の側部とパネル材の表面との間に、第１部材と第２部材を連結した状態として同時に押し込むことができない。
このために、パネル材嵌合溝の側部とパネル材の表面の一方に第１部材又は第２部材を取付け、この後にパネル材をパネル材嵌合溝内に入れ、最後にパネル材嵌合溝の側部とパネル材の表面の他方とあらかじめ取付けた第１部材又は第２部材との間に、第２部材又は第１部材を押し込んでいるので、パネル材を枠材のパネル材嵌合溝に固定する作業が大変面倒である。
また、ガスケットは第１部材と第２部材の２部材から成るので、製造、運搬、保管が面倒である。
【０００５】
また、第１部材と第２部材との圧接位置によっては、第１部材の傾斜面と第２部材の圧接面の圧接部分がガスケット表面に露出することがあり、そのガスケット表面に露出した圧接部分に雨水等が毛細管現象で浸入する恐れがある。
このように、圧接部分に浸入した雨水等は冬季などに凍結してその圧接部分を損傷することがあるから、ガスケット寿命が短くなる。
【０００６】
本発明は前述の課題に鑑みなされたものであって、その目的は、幅寸法を調整できること、一体として押し込むことができパネル材を枠材のパネル材嵌合溝に固定する作業が容易であること、製造・運搬・保管が容易であること、ガスケット表面から雨水等がガスケット内部に浸入することがないこと、を満足したガスケットを提供することである。
【０００７】
【課題を解決するための手段】
第１の発明は、所定の幅と厚さを有し、広幅形態と狭幅形態に変位すると共に、枠材のパネル材嵌合溝の開口縁部とパネル材の表面に接して両者の間を気密・水密する表面部材と、
この表面部材の裏面に幅方向に離隔して一体に設けた第１部材と第２部材を備え、
前記第１部材は、前記パネル材嵌合溝の側部に取付けられる形態で、
前記第２部材は第１部材に保持されて表面部材を狭幅形態とし、かつ上下方向の力が作用すると第１部材に対して移動して表面部材が広幅形態となるようにしたことを特徴とするガスケットである。
【０００８】
第２の発明は、第１の発明において表面部材は幅方向にほぼ一直線状の広幅形態と、幅方向にほぼく字状の狭幅形態とに変位し、
第１部材は表面部材の幅方向一側寄りで、かつ支持部を備え、第２部材は表面部材の幅方向他側寄りで、かつ係止部を備え、この係止部を支持部に係止することで表面部材が前記狭幅形態となると共に、表面部材の幅方向他側寄りを押すと係止部が支持部から外れて表面部材が広幅形態となるようにしたガスケットである。
【０００９】
第３の発明は、第１又は第２の発明において第２部材はパネル材の表面に接すると共に、表面部材とともに幅方向に変位して表面部材の幅方向他端部と常にほぼ面一であるガスケットである。
【００１０】
【作　用】
第１の発明によれば、表面部材を広幅形態、狭幅形態とすることでガスケットの幅寸法を調整できる。
ガスケットは表面部材と第１部材と第２部材を備えていると共に、それらは一体であるから、枠材のパネル材嵌合溝の開口縁部、側部とパネル材の表面との間に一体として押し込むことができ、パネル材を枠材のパネル材嵌合溝に固定する作業が容易である。
しかも、ガスケットの製造、運搬、保管が容易である。
表面部材の表面がガスケットの表面であり、その表面部材の表面は幅方向に連続しているから、ガスケットの表面から雨水等がガスケット内部に浸入することがなく、ガスケットの寿命が長い。
【００１１】
第２の発明によれば、係止部を支持部に係止した狭幅形態で表面部材の幅方向一側寄りを押すことで第１部材をパネル材嵌合溝の側部に取付け支持し、パネル材の厚さが薄い場合には表面部材の幅方向他側寄りを押して係止部を支持部から外すことで表面部材を広幅形態としてパネル材表面に接することができる。
【００１２】
第３の発明によれば、表面部材とともに第２部材がパネル材の表面に接するので、気密性、水密性が向上する。
【００１３】
【発明の実施の形態】
図１に示すように、ガスケット１は、表面部材１０と、この表面部材１０の裏面１１に幅方向に離隔して一体的に設けられた第１部材２０、第２部材３０を備え、その表面部材１０の幅がガスケット１の幅寸法である。この実施の形態ではガスケット１はほぼＵ字形態であるが、それに限ることはない。
前記表面部材１０は図１に示す広幅形態と図２に示す狭幅形態に変位可能で、その表面１２は幅方向全長に亘って連続している。
この表面部材１０は図３に示すように、枠材４０におけるパネル材嵌合溝４１の開口縁部４２とパネル材５０の側面５０ａにそれぞれ接触、好ましくは圧接して両者の間を気密・水密する。
【００１４】
前記第１部材２０は、図３に示すように枠材４０におけるパネル材嵌合溝４１の側部４３（前述の開口縁部４２と連続した部分）に取付けられる。つまり、前記第１部材２０はガスケット１を前述のパネル材嵌合溝４１の側部４３に取付けて支持するものである。
【００１５】
前記第２部材３０は第１部材２０に表面部材１０の厚さ方向（以下上下方向という）に動かないように支持されると共に、所定の大きさの上下方向の力で上下方向に移動し、第２部材３０が第１部材２０に対して上下方向に動かないように支持されると図２に示すように表面部材１０が狭幅形態に保持され、第２部材３０が第１部材２０に対して上下方向に移動すると図１に示すように表面部材１０が広幅形態となる。
つまり、第２部材３０は第１部材２０に支持されて表面部材１０を狭幅形態とし、上下方向の力が作用すると移動して表面部材１０を広幅形態とする。
【００１６】
このようであるから、第２部材３０を第１部材２０に支持すると表面部材１０が図２に示すように狭幅形態となり、ガスケット１の幅寸法はＨ２となる。
第２部材３０を上下方向の力で第１部材２０に対して移動（図示では下方に移動）すると表面部材１０が図１に示す広幅形態となり、ガスケット１の幅寸法がＨ１（Ｈ１＞Ｈ２）となる。
【００１７】
次に、各部材の具体形状の一例を説明する。
前記表面部材１０は所定の幅Ｈと厚さＴを有する断面ほぼ長方形状で、外力の作用しない自由状態の時には図１に示すように幅方向に亘ってほぼ一直線の形態、つまり前述の広幅形態で、厚さ方向の外力によって折曲変位して図２に示すように幅方向にほぼく字状の形態、つまり前述の狭幅形態となる。
前記表面部材１０の表面１２は平坦面であり、雨水等が表面１２に沿ってスムーズに流れるようにしてある。なお、表面１２は平坦面に限ることはなく、凹凸などがあっても良い。
【００１８】
前記第１部材２０は表面部材１０の幅方向一側寄りに設けられ、取付部２１と支持部２２を備え、その取付部２１を前述のパネル材嵌合溝４１の側部４３に取付け支持され、支持部２２が第２部材３０と対向する。
この実施の形態では前記取付部２１は、幅方向一側面２３、この一側面２３よりも突出した突条２４、この突条２４を変形し易くする凹部２５、突条２４と連続し斜面となった押し込み面２６を有する形態で、前述したパネル材嵌合溝４１の側部４３とパネル材５０の表面５０ａとの間に押し込み易いと共に、その突条２４が図３に示すように前述の側部４３の下面と対向してガスケット１が抜け出し難くしている。
【００１９】
前記第１部材２０の幅方向他側面（第２部材３０と対向する面）２７には複数の突出片２８を上下方向（表面部材１０の厚さ方向）に間隔を置いて有し、この突出片２８の上面が前述の支持部２２を形成する。
つまり、この実施の形態では支持部２２が上下方向に間隔を置いて複数有する。
なお、取付部２１は前述の形態に限ることはない。
【００２０】
前記第２部材３０は表面部材１０の幅方向他端寄りに設けられ、その下端部は尖端形状で、前述の第１部材２０の支持部２２に係止する係止部３１としてある。この係止部３１は下向きの力で支持部２２から外れるようにしてある。例えば支持部２２（突出片２８の上面）を円弧形状としてある。
第２部材３０の幅方向一側面３２にはガイド突部３３が上下方向に間隔を置いて複数有し、このガイド突部３３は前記突出片２８の上面に接する斜面３３ａを有し、その斜面３３ａが突出片２８の上面に当たることで第２部材３０に幅方向他側に向かう力が作用し、係止部３１が支持部２２から外れ易くしてある。
【００２１】
前記第２部材３０は、この実施の形態では図３に示すように表面部材１０の幅方向他端部とほぼ面一、好ましくは面一で、パネル材５０の表面５０ａに接する、好ましくは圧接して気密・水密すると共に、表面部材１０ととも幅方向に変位して常時ほぼ面一、好ましくは面一であるが、これに限ることはない。
具体的には、前記第２部材３０の幅方向他側面（パネル材５０側の面）３４には複数の突片３５が上下方向に間隔を置いて一体に設けてあり、この突片３５がパネル材５０の表面５０ａに接触、好ましくは圧接する。
つまり、突片３５は表面部材１０の幅方向他端部とほぼ面一、好ましくは面一である。
【００２２】
前記第１部材２０は幅広で表面部材１０の幅方向には変位し難い形態である。前記表面部材１０の裏面１１には第１部材２０の幅方向他側面２７と連続して切欠部１３が形成され、表面部材２０はこの切欠部１３を境として第２部材３０側（幅方向他側部寄り）が屈曲変形し易くしてある。
前記第２部材３０は第１部材２０よりも幅が狭く、表面部材１０の幅方向に湾曲変形し易い。
この第２部材３０の幅方向一側面（第１部材２０と対向する面）３２における表面部材１０の裏面１１と連続した部分が切欠きされ、その切欠部３６で第２部材３０は表面部材１０に対して幅方向に変位し易い。
【００２３】
このようであるから、第２部材３０の係止部３１を図２に示すように第１部材２０の支持部２２（突出片２８の上面）に係止した時に第２部材３０は表面部材１０に対して幅方向に変位すると共に、第２部材３０自体が幅方向に湾曲変位し、突片３５と表面部材１０の幅方向他端部がほぼ面一の形態を維持する。
【００２４】
次に、パネル材５０の固定の仕方を図３に基づいて説明する。
枠材４０のパネル材嵌合溝４１における他方の側部４４の溝４５にガスケット４６を取付ける。このガスケット４６は従来のガスケットであるが、本発明のガスケット１を用いても良い。
パネル材嵌合溝４１の底部に設けたブロック５１にパネル材５０の端面を接し、このパネル材５０の他方の側面５０ａをガスケット４６に接する。
ガスケット１を図２に示す狭幅形態とし、表面部材１０の第１部材２０寄り部分（幅方向一側寄り部分）を押してパネル材５０の表面５０ａとパネル材嵌合溝４１の一方の側部４３との間にガスケット１を押し込む。
【００２５】
パネル材５０の厚さが厚い場合にはガスケット１を所定位置（第１部材２０がパネル材嵌合溝４１の側部４３に取付け完了する位置）まで押し込みすると、ガスケット１は図２に示す表面部材１０が狭幅形態のままで表面部材１０がパネル材嵌合溝４１の開口縁部４２とパネル材５０の表面５０ａとに接して両者の間を確実に気密・水密する。
パネル材５０の厚さが薄い場合には、ガスケット１を前述の所定位置まで押し込んでも表面部材１０がパネル材５０の表面５０ａに接しないので、表面部材１０の第２部材３０寄り部分（幅方向他側寄り部分）を押す。
これによって第２部材３０が第１部材２０に対して移動して表面部材１０は図１に示す広幅形態となるので、その表面部材１０がパネル材５０の表面５０ａに接（好ましくは圧接）する。
【００２６】
パネル材５０は図３に示すように複層ガラスであるが、これに限ることはなく、単板バラス、金属パネル、樹脂パネルでも良い。
また、図３においては本発明のガスケット１を室内側にのみ設けてあるが、室外側にのみ設けても良いことは勿論である。
【００２７】
前述の実施の形態では、ガスケット１を押し込んだ後に表面部材１０の幅を変えるようにしたが、ガスケット１を押し込む以前に表面部材１０の幅を変えることもできる。
【００２８】
【発明の効果】
請求項１に係る発明によれば、表面部材を広幅形態、狭幅形態とすることでガスケットの幅寸法を調整できる。
ガスケットは表面部材と第１部材と第２部材を備えていると共に、それらは一体であるから、枠材のパネル材嵌合溝の開口縁部、側部とパネル材の表面との間に一体として押し込むことができ、パネル材を枠材のパネル材嵌合溝に固定する作業が容易である。
しかも、ガスケットの製造、運搬、保管が容易である。
表面部材の表面がガスケットの表面であり、その表面部材の表面は幅方向に連続しているから、ガスケットの表面から雨水等がガスケット内部に浸入することがなく、ガスケットの寿命が長い。
【００２９】
請求項２に係る発明によれば、係止部を支持部に係止した狭幅形態で表面部材の幅方向一側寄りを押すことで第１部材をパネル材嵌合溝の側部に取付け支持し、パネル材の厚さが薄い場合には表面部材の幅方向他側寄りを押して係止部を支持部から外すことで表面部材を広幅形態としてパネル材表面に接することができる。
【００３０】
請求項３に係る発明によれば、表面部材とともに第２部材がパネル材の表面に接するので、気密性、水密性が向上する。
【図面の簡単な説明】
【図１】幅寸法が大きい状態のガスケットの断面図である。
【図２】幅寸法が小さい状態のガスケットの断面図である。
【図３】枠材にパネル材を固定した状態の断面図である。
【符号の説明】
１…ガスケット、１０…表面部材、１１…裏面、１２…表面、２０…第１部材、２１…取付部、２２…支持部、３０…第２部材、３１…係止部、４０…枠材、４１…パネル材嵌合溝、４２…開口縁部、４３…側部、５０…パネル材、５０ａ…表面。
【図１】
2004036348.tif 000003
【図２】
2004036348.tif 000004
【図３】
2004036348.tif 000005